(57)【特許請求の範囲】
【請求項１】
複数の無線基地局の間で、収容するセルに割り当てられるセル識別子を識別することができるか否かを判定する判定工程と、
前記セル識別子を識別することができないと判定される場合に、前記複数の無線基地局のうち前記セル識別子の変更に係る処理負荷が相対的に小さい無線基地局の前記セル識別子を変更する変更工程と
を備え、
前記判定工程及び前記変更工程は、前記複数の無線基地局のうちの一の無線基地局によって行われ、
前記判定工程は、移動端末から前記一の無線基地局への、再接続前後のセル識別子が同じである再接続要求が所定回数以上行われているか否かを判定することで、前記複数の無線基地局の間で前記セル識別子を識別することができるか否かを判定することを特徴とするセル識別子の決定方法。
【請求項２】
前記判定工程は、前記複数の基地局の間で前記セル識別子が衝突しているか否かを判定することで、前記セル識別子を識別することができるか否かを判定し、
前記変更工程は、前記複数の基地局の間で前記セル識別子が衝突していると判定される場合に、前記複数の無線基地局のうち前記セル識別子の変更に係る処理負荷が相対的に小さい無線基地局の前記セル識別子を変更することを特徴とする請求項１に記載のセル識別子の決定方法。
【請求項３】
前記判定工程及び前記変更工程は、前記複数の無線基地局が収容するセルの夫々に隣接するセルを収容している他の無線基地局によって行われることを特徴とする請求項１又は２に記載のセル識別子の決定方法。
【請求項４】
前記判定工程は、前記複数の無線基地局から前記他の無線基地局に対して送信される隣接情報であって且つ前記複数の無線基地局の夫々が収容するセルに隣接しているセルを示す隣接情報に基づいて、前記複数の無線基地局の間で前記セル識別子を識別することができるか否かを判定することを特徴とする請求項３に記載のセル識別子の決定方法。
【請求項５】
前記セル識別子を識別することができないと判定される場合には、前記セル識別子を識別することができると判定される場合と比較して、前記一の無線基地局からの報知情報の送信に使用している送信電力を低下させる低下工程と、
前記複数の無線基地局のうちの他の無線基地局からの報知情報を前記移動端末が受信する受信工程と、
前記一の無線基地局に対して、前記移動端末が受信した前記報知情報を送信する送信工程と、
前記移動端末から送信される報知情報に基づいて、前記判定工程において前記セル識別子を識別することができないと判定される前記複数の無線基地局を特定する特定工程と、
特定された前記複数の無線基地局の間の通信コネクションを確立する確立工程と
を備え、
前記変更工程は、確立された前記通信コネクションを介して、(i)前記一の無線基地局が前記セル識別子を変更する場合には、前記他の無線基地局に対して、前記セル識別子を変更しないことを指示する指示信号を送信すると共に、変更後の前記セル識別子を送信し、(ii)前記一の無線基地局が前記セル識別子を変更しない場合には、前記他の無線基地局に対して前記セル識別子を変更することを指示する指示信号を送信することを特徴とする請求項１に記載のセル識別子の決定方法。
【請求項６】
前記変更工程は、前記複数の無線基地局のうち隣接しているセルの数又は隣接している無線基地局の数が相対的に少ない無線基地局の前記セル識別子を変更することを特徴とする請求項１から５のいずれか一項に記載のセル識別子の決定方法。
【請求項７】
複数の無線基地局の間で、収容するセルに割り当てられるセル識別子を識別することができるか否かを判定する判定手段と、
前記セル識別子を識別することができないと判定される場合に、前記複数の無線基地局のうち前記セル識別子の変更に係る処理負荷が相対的に小さい無線基地局の前記セル識別子を変更する変更手段と
を備え、
前記判定手段は、移動端末から当該無線基地局への、再接続前後のセル識別子が同じである再接続要求が所定回数以上行われているか否かを判定することで、前記複数の無線基地局の間で前記セル識別子を識別することができるか否かを判定することを特徴とする無線基地局。
【請求項８】
複数の無線基地局を備える無線通信システムであって、
前記複数の無線基地局の間で、収容するセルに割り当てられるセル識別子を識別することができるか否かを判定する判定手段と、
前記セル識別子を識別することができないと判定される場合に、前記複数の無線基地局のうち前記セル識別子の変更に係る処理負荷が相対的に小さい無線基地局の前記セル識別子を変更する変更手段と
を備え、
前記判定手段及び前記変更手段は、前記複数の無線基地局のうちの一の無線基地局が備えており、
前記判定手段は、移動端末から前記一の無線基地局への、再接続前後のセル識別子が同じである再接続要求が所定回数以上行われているか否かを判定することで、前記複数の無線基地局の間で前記セル識別子を識別することができるか否かを判定することを特徴とする無線通信システム。
【発明の詳細な説明】
【技術分野】
【０００１】
本発明は、例えば移動端末との間で無線通信を行う無線基地局、移動端末や無線基地局を備える無線通信システム、並びに無線基地局や無線通信システムにおけるセル識別子の決定方法の技術分野に関する。
【背景技術】
【０００２】
携帯電話システム等の無線通信システムでは、無線基地局（例えば、ｅＮＢ：ｅ  ＮｏｄｅＢ）は、自身が収容するセル内に位置する移動端末（例えば、ＵＥ：User Equipment）との間で無線通信を行う。各無線基地局が収容するセルには、移動端末が各セルを識別できるように、隣接するセルとの間で衝突しない（つまり、重複しない）固有のセル識別子（例えば、ＰＣＩ：Physical Cell Identifier）が割り当てられる。例えば、一の無線基地局が収容する一のセルに対して一のセル識別子が割り当てられている場合には、一の無線基地局又は他の無線基地局が収容する他のセルであって且つ一のセルに隣接する他のセルに対して、一のセル識別子とは異なる他のセル識別子が割り当てられる。
【０００３】
近年、セル識別子の割り当て動作を含む無線通信システムの保守動作のコストの低下等を目標として、ＳＯＮ（Self Organization Network）の提案が進められている。例えば、セル識別子の割り当て動作を含むセルの隣接関係を自動的に構築するＳＯＮの手法として、ＡＮＲ（Automatic Neighbor Relation）が提案されている。ＡＮＲでは、移動端末が認識したセル識別子（ＰＣＩ）を無線基地局に対して報告するメジャーメントレポート（Measurement Report）を利用して、当該セル識別子（ＰＣＩ）に対応するＥＣＧＩ（Evolved Cell Global Identifier）が移動端末から無線基地局に対して通知される。ＥＣＧＩの通知を受けた無線基地局は、当該ＥＣＧＩ及びＰＣＩの双方を参照することで、未知のセル又は未知の無線基地局の存在を把握すると共に隣接関係を構築する。
【先行技術文献】
【特許文献】
【０００４】
【特許文献１】特開２００８−１９９２２３号公報
【非特許文献】
【０００５】
【非特許文献１】３ＧＰＰ  ＴＳ３６．４２３  ｖ９．１．０
【発明の概要】
【発明が解決しようとする課題】
【０００６】
ＡＮＲでは、隣接する複数のセルの間でセル識別子が衝突していないことが前提となる。つまり、ＡＮＲでは、隣接する複数のセルの間でユニークなセル識別子が割り当てられていることが前提となる。しかしながら、実際の無線通信システムの運用状態によっては、セル識別子が衝突することがあり得る。セル識別子の衝突は、ＡＮＲによるセルの隣接関係の自動的な構築に影響を及ぼしかねない。
【０００７】
例えば、既存の無線基地局（或いは、既存のセル）が既に配置済みである任意のエリア中に存在する不感地帯に新たな無線基地局を設置する場合について検討する。既存の無線基地局は、セル識別子のユニーク性を考慮しないスタンドアロンの無線基地局として設置されている可能性がある。このため、新たな無線基地局（或いは、新たな無線基地局が収容するセル）が、同じセル識別子が割り当てられているセルを収容する既存の無線基地局（或いは、既存のセル）と隣接関係を構築しかねない。セル識別子が衝突している場合には、ＡＮＲによって適切な手順が規定されていないがゆえに、セル識別子が衝突している無線基地局の双方がセル識別子を変更してしまいかねない。或いは、セル識別子が衝突している無線基地局のうちセル識別子の変更に係る処理負荷が大きい無線基地局のセル識別子を変更してしまいかねない。
【０００８】
或いは、例えば、ビル等の障害物（遮蔽物）の存在によって既存の２つの無線基地局が隣接関係になかったものの、障害物の除去によって既存の２つの無線基地局が新たに隣接する状況も想定される。この場合、既存の２つの無線基地局の間でセル識別子が衝突している場合には、セル識別子を用いて当該２つの無線基地局の夫々を区別することができない。従って、ＡＮＲでは、２つの無線基地局のセルの隣接関係を自動的に構築することができない。
【０００９】
本発明が解決しようとする課題には上記のようなものが一例として挙げられる。本発明は、例えばセル識別子の衝突が発生した場合に、無線基地局が使用するセル識別子を適切に決定することが可能なセル識別子の決定方法、無線基地局及び無線通信システムを提供することを目的とする。
【課題を解決するための手段】
【００１０】
上記課題は、判定工程と変更工程とを備えるセル識別子の決定方法によって解決され得る。判定工程では、複数の無線基地局の間でセル識別子を識別する（言い換えれば、区別する）ことができるか否かが判定される。セル識別子は、無線基地局が収容するセルを識別するための情報（例えば、各セルに固有の情報）である。変更工程では、複数の無線基地局の間でセル識別子を識別することができないと判定された場合に、複数の無線基地局のうちセル識別子の変更に係る処理負荷が相対的に小さい（例えば、最も小さい）無線基地局のセル識別子が変更される。つまり、変更工程では、複数の無線基地局のうちセル識別子の変更に係る処理負荷が相対的に大きい（例えば、最も大きい）無線基地局のセル識別子が変更されないことが好ましい。
【００１１】
上記課題は、判定手段と変更手段とを備える無線基地局又は無線通信システムによって解決され得る。判定手段は、上述した判定工程において行われる処理と同様の処理を行う。変更手段は、上述した変更工程において行われる処理と同様の処理を行う。
【発明の効果】
【００１２】
以上説明したセル識別子の決定方法によれば、複数の無線基地局の間でセル識別子を識別することができない場合には、複数の無線基地局のうちセル識別子の変更に係る処理負荷が相対的に小さい無線基地局のセル識別子が変更される。このため、セル識別子が衝突している複数の無線基地局の双方がセル識別子を変更しなくともよい。或いは、複数の無線基地局のうちセル識別子の変更に係る処理負荷が相対的に大きい無線基地局のセル識別子を変更しなくともよい。従って、例えばセル識別子の衝突等に起因して生じ得るセル識別子を識別することができない状況下において、無線基地局が使用する新しいセル識別子を適切に決定することができる。
【００１３】
以上説明した無線基地局及び無線通信システムによれば、上述したセル識別子の決定方法と同様の効果を享受することができる。
【図面の簡単な説明】
【００１４】
【図１】本実施形態の無線通信システムの構成の一例を示すブロック図である。
【図２】本実施形態のｅＮＢの機能ブロックの一例を示すブロック図である。
【図３】本実施形態のｅＮＢのハードウェアブロックの一例を示すブロック図である。
【図４】ｅＮＢが第１の処理例を行う場合のセルの状態を示す模式図である。
【図５】ｅＮＢの第１の処理例の流れを示すシーケンス図である。
【図６】ｅＮＢによって他のｅＮＢの存在が検出されたことをトリガとして行われるＡＮＲ処理の流れを示すシーケンス図である。
【図７】ｅＮＢによって他のｅＮＢの存在が検出されたことをトリガとして行われるＡＮＲ処理によってｅＮＢ間で交換されるセル情報の例を示すデータ構造図である。
【図８】ｅＮＢによって他のｅＮＢの存在が検出されたことをトリガとして行われるＡＮＲ処理の流れを示すシーケンス図である。
【図９】ｅＮＢによって他のｅＮＢの存在が検出されたことをトリガとして行われるＡＮＲ処理によってｅＮＢ間で交換されるセル情報の例を示すデータ構造図である。
【図１０】ＰＣＩの衝突が発生しているか否かの判定処理及びＰＣＩを変更する一つのセルの決定処理の流れを示すフローチャートである。
【図１１】ｅＮＢが第２の処理例を行う場合のセルの状態を示す模式図である。
【図１２】ｅＮＢの第２の処理例の流れを示すシーケンス図である。
【図１３】第２の処理例における第２の処理例におけるＰＣＩの衝突が発生しているか否かの判定処理及びＥＣＧＩの取得処理の流れを示すフローチャートである。
【発明を実施するための最良の形態】
【００１５】
以下、本発明を実施するための最良の形態を、図面に基づいて説明する。
【００１６】
（１）無線通信システムの構成
図１を参照して、本実施形態の無線通信システム１の構成について説明する。図１は、本実施形態の無線通信システム１の構成の一例を示すブロック図である。
【００１７】
図１に示すように、本実施形態の無線通信システム１は、ｅＮＢ（eNodeB）１００ａと、ｅＮＢ１００ｂと、ＵＥ（User Equipment）３００ａと、ＵＥ３００ｂと、ＵＥ３００ｃと、ＭＭＥ（Mobility Management Entity：モビリティ管理装置）５００とを備えている。尚、図１に示すｅＮＢの数、ＵＥの数及びＭＭＥの数は一例であって、ｅＮＢの数、ＵＥの数およびＭＭＥの数が図１に示す個数に限定されることはない。また、以下では、説明の便宜上、ｅＮＢ１００ａ及びｅＮＢ１００ｂを区別することなく説明する場合には、“ｅＮＢ１００”と称して説明を進める。同様に、ＵＥ３００ａ、ＵＥ３００ｂ及びＵＥ３００ｃを区別することなく説明する場合には、“ＵＥ３００”と称して説明を進める。
【００１８】
ｅＮＢ１００は、複数のセル１５０（言い換えれば、複数のセクタ）を収容する無線基地局である。各セル１５０には、各セル１５０を識別するための固有のＰＣＩ（Physical Cell Identifier）が割り当てられている。例えば、図１に示す例では、ｅＮＢ１００ａは、ＰＣＩが「１０１」となるセル１５０、ＰＣＩが「１０２」となるセル１５０及びＰＣＩが「１０３」となるセル１５０を収容している。同様に、図１に示す例では、ｅＮＢ１００ｂは、ＰＣＩが「２０１」となるセル１５０、ＰＣＩが「２０２」となるセル１５０及びＰＣＩが「２０３」となるセル１５０を収容している。尚、以下の説明では、説明の簡略化のため、「ＰＣＩが「ＸＸＸ」となるセル１５０」を、“セル１５０（ＰＣＩ＝ＸＸＸ）”と称して説明を進める。ｅＮＢ１００は、自身が収容するセル１５０中に位置するＵＥ３００との間で無線通信を行う。つまり、ｅＮＢ１００は、自身が収容するセル１５０中に位置するＵＥ３００との間で通信コネクションを確立すると共に、ＵＥ３００に対してデータの送受信を行う。また、各ｅＮＢ１００が収容するセル１５０は、その一部が他のセル１５０の一部又は全部と重なるように構成されていてもよいし、その全部が他のセル１５０と重ならないように構成されていてもよい。
【００１９】
ｅＮＢ１００は、他のｅＮＢ１００との間に確立されるＸ２インタフェースを介して、他のｅＮＢ１００との間で通信を行う。図１に示す例では、ｅＮＢ１００ａは、ｅＮＢ１００ｂとの間に確立されるＸ２インタフェースを介して、ｅＮＢ１００ｂとの間で通信を行う。また、ｅＮＢ１００ａ及び１００ｂの夫々は、ＭＭＥ５００との間に確立されるＳ１インタフェースを介して、ＭＭＥ５００との間で通信を行う。
【００２０】
ＵＥ３００は、自身がその内部に位置するセル１５０を収容するｅＮＢ１００との間で通信コネクションを確立すると共に、データの送受信を行う移動端末である。ＵＥ３００は、ｅＮＢ１００（更には、ｅＮＢ１００の上位に接続されるＭＭＥ５００等の上位局等）を介して、各種サービスないしはアプリケーション（例えば、メールサービスや、音声通話サービスや、ＷＥＢ閲覧サービスや、パケット通信サービス等）を利用することができる。このようなＵＥ３００として、例えば携帯電話や、ＰＤＡ（Personal Digital Assistant）や、その他無線通信機能を有する各種情報機器等が一例としてあげられる。つまり、本実施形態の無線通信システム１は、例えば携帯電話システムや移動体通信システム等が一例としてあげられる。
【００２１】
ＭＭＥ５００は、パケット通信用のセッション（接続）の設定及び開放や、ＵＥ３００のモビリティの管理や、ハンドオーバーの制御を行う上位局である。
【００２２】
尚、上述の説明では、複数のセル１５０を収容するｅＮＢ１００が例示されているが、単一のセル１５０を収容するｅＮＢ１００を配置してもよい。
【００２３】
（２）ｅＮＢの構成
図２及び図３を参照して、ｅＮＢ１００の構成について説明する。図２は、ｅＮＢ１００の機能ブロックの一例を示すブロック図である。図３は、ｅＮＢ１００のハードウェアブロックの一例を示すブロック図である。
【００２４】
図２に示すように、ｅＮＢ１００は、ＲＲＨ（Remote Radio Head：遠隔無線ヘッド）１１０と、ＢＢＵ（Base Band Unit：ベースバンドユニット）１２０と、アンテナ１３０とを備えている。ＲＲＨ１１０とＢＢＵ１２０とは、所定長（例えば、数ｍから数十ｋｍ）の伝送距離を有する通信回線（例えば、光ファイバ等）を含むＣＰＲＩ（Common public Radio Interface：コモン・パブリック・ラジオ・インタフェース）リンク１４０を介して、相互に情報の送受信を行うことができる。
【００２５】
ＲＲＨ１１０は、無線送受信処理等を行う無線装置であって、送信増幅器１１１と、受信増幅器１１２と、無線送受信機能部１１３と、ＣＰＲＩインタフェース処理部１１４とを備えている。
【００２６】
送信増幅器１１１は、ｅＮＢ１００からＵＥ３００に対して送信される下りリンク信号を増幅する。増幅された下りリンク信号は、アンテナ１３０を介してＵＥ３００に対して送信される。
【００２７】
受信増幅器１１２は、アンテナ１３０を介して受信される上りリンク信号を増幅する。増幅された上りリンク信号は、無線送受信機能部１１３に転送される。
【００２８】
無線送受信機能部１１３は、下りリンク信号の送信時には、ＣＰＲＩインタフェース処理部１１４を介してＢＢＵ１２０から送信されるベースバンド信号に対して無線送信処理を行う。無線送信処理が行われたベースバンド信号（つまり、下りリンク信号）は、送信増幅器１１１に転送される。無線送受信機能部１１３は、上りリンク信号の受信時には、受信増幅器１１２から転送される上りリンク信号に対して無線受信処理を行う。無線受信処理等が行われた上りリンク信号（つまり、ベースバンド信号）は、ＣＰＲＩインタフェース処理部１１４に転送される。
【００２９】
ＣＰＲＩインタフェース処理部１１４は、ＲＲＨ１１０とＢＢＵ１２０との間のＣＰＲＩリンク１４０を介した信号の送受信を行う。例えば、ＣＰＲＩインタフェース処理部１１４は、下りリンク信号の送信時には、ＣＰＲＩリンク１４０を介してＢＢＵ１２０から送信されるベースバンド信号を取得すると共に、取得したベースバンド信号を無線送受信機能部１１３に転送する。例えば、ＣＰＲＩインタフェース処理部１１４は、上りリンク信号の受信時には、無線送受信機能部１１３から転送されるベースバンド信号を取得すると共に、ＣＰＲＩリンク１４０を介して、取得したベースバンド信号をＢＢＵ１２０に送信する。
【００３０】
ＢＢＵ１２０は、ベースバンド処理等を行う無線制御装置であって、ＣＰＲＩインタフェース処理部１２１と、ベースバンド処理機能部１２２と、伝送路インタフェース機能部１２３と、「検出手段」及び「変更手段」の一例である呼処理制御機能部１２４とを備えている。
【００３１】
ＣＰＲＩインタフェース処理部１２１は、ＲＲＨ１１０とＢＢＵ１２０との間のＣＰＲＩリンク１４０を介した信号の送受信を行う。例えば、ＣＰＲＩインタフェース処理部１２１は、下りリンク信号の送信時には、ベースバンド処理機能部１２２から転送されるベースバンド信号を取得すると共に、ＣＰＲＩリンク１４０を介して、取得したベースバンド信号をＲＲＨ１１０に送信する。例えば、ＣＰＲＩインタフェース処理部１２１は、上りリンク信号の受信時には、ＣＰＲＩリンク１４０を介してＲＲＨ１１０から送信されるベースバンド信号を取得すると共に、取得したベースバンド信号をベースバンド処理機能部１２２に転送する。
【００３２】
ベースバンド処理機能部１２２は、下りリンク信号の送信時には、ＵＥ３００に対して送信するべきデータに対してベースバンド処理を行う。ベースバンド処理が行われたデータ（つまり、ベースバンド信号）は、ＣＰＲＩインタフェース機能部１２１に転送されるベースバンド処理機能部１２２は、上りリンク信号の受信時には、ＣＰＲＩ１インタフェース処理部１２１から転送されるベースバンド信号に対してベースバンド処理を行う。ベースバンド処理が行われたベースバンド信号（つまり、データ）は、伝送路インタフェース機能部１２４に転送される。
【００３３】
伝送路インタフェース機能部１２３は、ｅＮＢ１００とＭＭＥ５００との間のＳ１インタフェースを介した信号の送受信を行う。加えて、伝送路インタフェース機能部１２３は、ｅＮＢ１００と他のｅＮＢ１００との間のＸ２インタフェースを介した信号の送受信を行う。
【００３４】
呼処理制御機能部１２４は、ｅＮＢ１００とＵＥ３００との間で送受信される信号、ｅＮＢ１００とＭＭＥ５００との間で送受信される信号、及びｅＮＢ１００と他のｅＮＢ１００との間で送受信される信号に含まれる呼処理信号を処理する。
【００３５】
図３に示すように、ｅＮＢ１００は、ハードウェア構成の観点からみると、ＦＰＧＡ（Field Programmable Gate Array）１２５と、ＤＳＰ（Digital Signal Processor）１２６と、Ｌ２ＳＷ（Layer 2 Switch）１２７と、ｅＮＢ１００全体の動作を制御するＣＰＵ１２８と、フラッシュメモリ１２９とを備えている。ＦＰＧＡ１２５は、書き換え可能な論理回路を含む集積処理回路であり、ｅＮＢ１００の仕様に応じた処理を行うように論理回路の定義付けないしは設計を適宜行うことができる。ＤＳＰ１２６は、デジタル信号に関連する各種処理を行う。Ｌ２ＳＷ１２７は、ＦＰＧＡ１２５、ＤＳＰ１２６及びＣＰＵ１２８の間の信号の伝送を制御する。ＣＰＵ１２８は、所定のファームウェア等に基づいて動作する制御回路であって、ｅＮＢ１００全体の動作を制御する。フラッシュメモリ１２９は、ｅＮＢ１００内部で使用するデータを一時的に格納したり、ｅＮＢ１００としての動作を行うためのプログラム（即ち、ファームウェア）を格納する。ＦＰＧＡ１２５及びＤＳＰ１２６が、上述したベースバンド処理機能部１２２に対応している。ＦＰＧＡ１２５、Ｌ２ＳＷ１２７及びＣＰＵ１２８が、上述した伝送路インタフェース機能部１２３に対応している。ＣＰＵ１２８及びフラッシュメモリ１２９が、上述した呼処理制御機能部１２４に対応している。
【００３６】
（３）第１の処理例
図４及び図５を参照して、ｅＮＢ１００の第１の処理例について説明する。図４は、ｅＮＢ１００が第１の処理例を行う場合のセル１５０の状態を示す模式図である。図５は、ｅＮＢ１００の第１の処理例の流れを示すシーケンス図である。
【００３７】
図４に示すように、第１の処理例は、例えば、既存のｅＮＢ１００（或いは、既存のセル１５０）が既に配置済みであるエリア中の不感地帯（つまり、セル１５０が配置されていない地帯）に、新たなｅＮＢ１００を設置する場合に行われる処理である。以下では、図４に示すように、セル１５０（ＰＣＩ＝１０１）、セル１５０（ＰＣＩ＝１０２）及びセル１５０（ＰＣＩ＝１００（便宜的な識別のため、“１００（ａ）”と称する））を収容するｅＮＢ１００ａと、セル１５０（ＰＣＩ＝１０３）、セル１５０（ＰＣＩ＝１０４）及びセル１５０（ＰＣＩ＝１００（便宜的な識別のため、“１００（ｂ）”と称する））を収容するｅＮＢ１００ｂとの間の不感地帯に、セル１５０（ＰＣＩ＝５）、セル１５０（ＰＣＩ＝６）及びセル１５０（ＰＣＩ＝７）を収容するｅＮＢ１００ｅが新たに設置される具体例を参照しながら、第１の処理例の説明を進める。つまり、ｅＮＢ１００ｅの新たな設置によって、セル１５０（ＰＣＩ＝１００（ａ））とセル１５０（１００（ｂ））との間でのＰＣＩの衝突が顕在化する具体例を参照しながら、第１の処理例の説明を進める。言い換えれば、ｅＮＢ１００ｅの新たな設置によって、セル１５０（ＰＣＩ＝１００（ａ））とセル１５０（１００（ｂ））との間でのＰＣＩを識別する（言い換えれば、区別する）ことができなくなる具体例を参照しながら、第１の処理例の説明を進める。尚、ｅＮＢ１００ｂは、セル１５０（ＰＣＩ＝１５０）、セル１５０（ＰＣＩ＝１５２）及びセル１５０（ＰＣＩ＝１５３）を収容するｅＮＢ１００ｃと隣接している。ｅＮＢ１００ｂは、セル１５０（ＰＣＩ＝２００）、セル１５０（ＰＣＩ＝２０３）及びセル１５０（ＰＣＩ＝２０４）を収容するｅＮＢ１００ｄと隣接している。
【００３８】
図５に示すように、ｅＮＢ１００ｅが新たに設置された後に、当該新たに設置されたｅＮＢ１００ｅが収容するセル１５０内にＵＥ３００が移動する。例えば、ｅＮＢ１００ｅが収容するセル１５０（ＰＣＩ＝５）内にＵＥ３００が移動したとする。ＵＥ３００は、自身が位置するセル１５０（ＰＣＩ＝５）を収容するｅＮＢ１００ｅから送信される報知情報のみならず、隣接する他のセル１５０を収容する他のｅＮＢ１００から送信される報知情報も受信する。尚、報知情報には、ｅＮＢ１００が収容しているセル１５０のＰＣＩ（更には、ＥＣＧＩ（Evolved Cell Global Identifier））が含まれている。従って、ＵＥ３００は、報知情報を受信することで、現在ＵＥ３００が位置しているセル１５０に隣接する他のセル１５０の存在を検出することができる。
【００３９】
例えば、図５に示すように、ＵＥ３００は、セル１５０（ＰＣＩ＝５）に隣接するセル１５０（ＰＣＩ＝１００（ａ））を収容するｅＮＢ１００ａから送信される報知情報を受信する。報知情報を受信したＵＥ３００は、報知情報に含まれるＰＣＩ（＝１００（ａ））を含むMeasurement Reportメッセージを、自身が位置するセル１５０（ＰＣＩ＝５）を収容するｅＮＢ１００ｅに対して送信する。その結果、ｅＮＢ１００ｅは、セル１５０（ＰＣＩ＝１００（ａ））を収容する他のｅＮＢ１００ａの存在を検出する。この検出をトリガとして、３ＧＰＰ  ＴＳ３６．３００「Ｏｖｅｒａｌｌ  ｄｅｓｃｒｉｐｔｉｏｎ」によって規定されているＡＮＲ（Automatic Neighbor Relation）処理が、ｅＮＢ１００ｅ、ｅＮＢ１００ａ、ＵＥ３００及びＭＭＥ５００によって行われる。
【００４０】
図６及び図７を参照して、セル１５０（ＰＣＩ＝５）を収容するｅＮＢ１００ｅによってセル１５０（ＰＣＩ＝１００（ａ））を収容する他のｅＮＢ１００ａの存在が検出されたことをトリガとして行われるＡＮＲ処理について説明する。図６は、ｅＮＢ１００ｅによって他のｅＮＢ１００ａの存在が検出されたことをトリガとして行われるＡＮＲ処理の流れを示すシーケンス図である。図７は、ｅＮＢ１００ｅによって他のｅＮＢ１００ａの存在が検出されたことをトリガとして行われるＡＮＲ処理によってｅＮＢ１００間で交換されるセル情報の例を示すデータ構造図である。
【００４１】
図６に示すように、ＡＮＲ処理が行われる前には、無線通信システム１が備えるｅＮＢ１００とＭＭＥ５００との間のＳ１インタフェースを介したコネクションが確立される。具体的には、例えば、呼処理制御機能部１２４の動作により、コネクションの確立を要求する「S1 Setup Request」メッセージがｅＮＢ１００ａからＭＭＥ５００に対して送信される。「S1 Setup Request」メッセージを受信したＭＭＥ５００は、コネクションの確立を承諾する「S1 Setup Response」メッセージをｅＮＢ１００ａに対して送信する。これにより、ｅＮＢ１００ａとＭＭＥ５００との間のＳ１インタフェースを介したコネクションが確立される。ｅＮＢ１００ｅとＭＭＥ５００との間のＳ１インタフェースを介したコネクションについても、ｅＮＢ１００ｅが新たに設置された後に同様の手順によって確立される。
【００４２】
続いて、ＵＥ３００は、セル１５０（ＰＣＩ＝５）に隣接するセル１５０（ＰＣＩ＝１００（ａ））を収容するｅＮＢ１００ａから送信される報知情報を受信する。報知情報の受信の後、ＵＥ３００は、報知情報に含まれるＰＣＩ（＝１００（ａ））を含むMeasurement Report (report PCI=100(a))メッセージを、ｅＮＢ１００ｅに対して送信する。その結果、ｅＮＢ１００ｅは、セル１５０（ＰＣＩ＝１００（ａ））を収容する他のｅＮＢ１００ａの存在を検出する。従って、ＡＮＲ処理が行われる。
【００４３】
具体的には、ｅＮＢ１００ｅが備える呼処理制御機能部１２４は、新たに検出した他のｅＮＢ１００ａのＥＣＧＩを取得するために、Radio Bearer Reconfiguration (Request for ECGI of PCI=100(a))メッセージをＵＥ３００に対して送信する。Radio Bearer Reconfiguration (Request for ECGI of PCI=100(a))メッセージを受信したＵＥ３００は、メッセージの受領を示すRadio Bearer Reconfiguration CompleteメッセージをｅＮＢ１００ｅに対して送信する。
【００４４】
ＵＥ３００は、セル１５０（ＰＣＩ＝５）に隣接するセル１５０（ＰＣＩ＝１００（ａ））を収容するｅＮＢ１００ａから送信される報知情報から、ＥＣＧＩを抽出する。ＥＣＧＩの抽出の後、ＵＥ３００は、報知情報に含まれるＥＣＧＩ（＝２００）を含むMeasurement Report (report ECGI=200)メッセージを、ｅＮＢ１００ｅに対して送信する。
【００４５】
ＥＣＧＩを含むMeasurement Report (report ECGI=200)メッセージを受信したｅＮＢ１００ｅの呼処理制御機能部１２４は、セル１５０（ＰＣＩ＝１００（ａ）＆ＥＣＧＩ＝２００）を収容するｅＮＢ１００ａが新規のｅＮＢ１００であるのか又は既存のｅＮＢ１００であるのかを判定する。セル１５０（ＰＣＩ＝１００（ａ）＆ＥＣＧＩ＝２００）を収容するｅＮＢ１００ａが新規のｅＮＢ１００である場合には、ｅＮＢ１００ｅ、ｅＮＢ１００ａ、ＵＥ３００及びＭＭＥ５００の間で、Ｓ１インタフェースを介したハンドオーバー処理が行われる。他方で、セル１５０（ＰＣＩ＝１００（ａ）＆ＥＣＧＩ＝２００）を収容するｅＮＢ１００ａが既存のｅＮＢ１００である場合には、ｅＮＢ１００ｅ、ｅＮＢ１００ａ、ＵＥ３００及びＭＭＥ５００の間で、Ｘ２インタフェースを介したハンドオーバー処理が行われる。
【００４６】
ハンドオーバー処理の後、ｅＮＢ１００ｅの呼処理制御機能部１２４は、伝送路インタフェース機能部１２３を介して、自身が収容するセル１５０及び今回のＡＮＲ処理によって認識した隣接セルの夫々を示すセル情報を、ｅＮＢ１００ｅに隣接する他のｅＮＢ１００ｃに通知する。ここで、新たに設置されたｅＮＢ１００ｅは、事前にＡＮＲ機能等によってｅＮＢ１００ｃと隣接関係を構築済みであることを前提としている。具体的には、ｅＮＢ１００ｅは、図７に示すように、自身が収容するセル１５０（ＰＣＩ＝５＆ＥＣＧＩ＝１００）、セル１５０（ＰＣＩ＝６＆ＥＣＧＩ＝・・・）及びセル１５０（ＰＣＩ＝７＆ＥＣＧＩ＝・・・）を示すセル情報と、自身が収容するセル毎にその隣接するセル情報を通知する。セル情報の通知は、eNB Configuration Updateメッセージ及びeNB Configuration Update acknowledgeメッセージの送受信によって行われる。
【００４７】
続いて、ｅＮＢ１００ｅの呼処理制御機能部１２４は、eNB Configuration Transfer (report IP address of eNB100a)メッセージをＭＭＥ５００に対して送信する。ＭＭＥ５００は、MME Configuration TransferメッセージをｅＮＢ１００ａに対して送信する。ｅＮＢ１００ａは、eNB Configuration TransferメッセージをＭＭＥ５００に対して送信する。ＭＭＥ５００は、MME Configuration Transfer (report IP address of eNB100a)メッセージをｅＮＢ１００ｅに対して送信する。その結果、ｅＮＢ１００ｅは、ｅＮＢ１００ａのＩＰアドレスを取得する。ｅＮＢ１００ｅが備える呼処理制御機能部１２４は、取得したＩＰアドレスを用いて、ｅＮＢ１００ａとの間でＸ２インタフェースを確立する。Ｘ２インタフェースの確立は、X2 Setup Requestメッセージ及びX2 Setup Responseメッセージの送受信によって行われる。尚、ＩＰアドレスの取得及びＸ２インタフェースの確立は、Measurement Reportメッセージの受信によって検出されたｅＮＢ１００が既存のｅＮＢ１００である場合には、行われなくともよい。
【００４８】
再び図５において、ＵＥ３００は、セル１５０（ＰＣＩ＝５）に隣接するセル１５０（ＰＣＩ＝１００（ｂ））を収容するｅＮＢ１００ｂから送信される報知情報もまた受信する。報知情報を受信したＵＥ３００は、報知情報に含まれるＰＣＩ（＝１００（ｂ））を含むMeasurement Reportメッセージを、自身が位置するセル１５０（ＰＣＩ＝５）を収容するｅＮＢ１００ｅに対して送信する。しかしながら、ｅＮＢ１００ｅは、Measurement Reportメッセージによって通知されたセル１５０（ＰＣＩ＝１００（ｂ））が既存のセル１５０（ＰＣＩ＝１００（ａ））であると認識してしまう。このため、ＰＣＩ（＝１００（ｂ））を含むMeasurement Reportメッセージの受信によってもＡＮＲ処理等は行われない。従って、処理が終了するか又はハンドオーバーが正常に行われない。
【００４９】
その後、ＵＥ３００が、セル１５０（ＰＣＩ＝１００（ｂ））内に移動すると共に、セル１５０（ＰＣＩ＝１００（ｂ））に隣接するセル１５０（ＰＣＩ＝５）を収容するｅＮＢ１００ｅから送信される報知情報を受信するものとする。この場合、ＵＥ３００は、報知情報に含まれるＰＣＩ（＝５）を含むMeasurement Reportメッセージを、自身が内部に位置するセル１５０（ＰＣＩ＝１００（ｂ））を収容するｅＮＢ１００ｂに対して送信する。その結果、ｅＮＢ１００ｂは、セル１５０（ＰＣＩ＝５）を収容する他のｅＮＢ１００ｅの存在を検出する。この検出をトリガとして、ＡＮＲ処理が、ｅＮＢ１００ｂ、ｅＮＢ１００ｅ、ＵＥ３００及びＭＭＥ５００によって行われる。
【００５０】
図８及び図９を参照して、セル１５０（ＰＣＩ＝１００（ｂ））を収容するｅＮＢ１００ｂによってセル１５０（ＰＣＩ＝５）を収容する他のｅＮＢ１００ｅの存在が検出されたことをトリガとして行われるＡＮＲ処理について説明する。図８は、ｅＮＢ１００ｂによって他のｅＮＢ１００ｅの存在が検出されたことをトリガとして行われるＡＮＲ処理の流れを示すシーケンス図である。図９は、ｅＮＢ１００ｂによって他のｅＮＢ１００ｅの存在が検出されたことをトリガとして行われるＡＮＲ処理によってｅＮＢ１００間で交換されるセル情報の例を示すデータ構造図である。
【００５１】
図８に示すように、ｅＮＢ１００ｂによって他のｅＮＢ１００ｅの存在が検出されたことをトリガとして行われるＡＮＲ処理は、図６に示すｅＮＢ１００ｅによって他のｅＮＢ１００ａの存在が検出されたことをトリガとして行われるＡＮＲ処理と同様に行われる。つまり、ｅＮＢ１００ｂによってｅＮＢ１００ｅのＥＣＧＩ及びＩＰアドレスが順に取得されると共に、ｅＮＢ１００ｂとｅＮＢ１００ｅとの間のＸ２インタフェースが確立される。加えて、ｅＮＢ１００ｂは、図９に示すセル情報を、ｅＮＢ１００ｂに隣接する他のｅＮＢ１００ｃ及び１００ｄ等に通知する。具体的には、ｅＮＢ１００ｂは、図９に示すように、自身が収容するセル１５０（ＰＣＩ＝１００（ｂ）＆ＥＣＧＩ＝３００）、セル１５０（ＰＣＩ＝１０３＆ＥＣＧＩ＝・・・）及びセル１５０（ＰＣＩ＝１０４＆ＥＣＧＩ＝・・・）を示すセル情報と、自身が収容するセル毎にその隣接するセル情報を通知する。
【００５２】
ｅＮＢ１００ｂとｅＮＢ１００ｅとの間のＸ２インタフェースが確立される際には、ｅＮＢ１００ｂは、ｅＮＢ１００ｅからセル情報を取得する。その結果、ｅＮＢ１００ｂは、ｅＮＢ１００ｅに隣接するセル１５０（ＰＣＩ＝１００（ａ）＆ＥＣＧＩ＝２００）の存在を認識する。一方で、ｅＮＢ１００ｂは、自身が収容しているセル（ＰＣＩ＝１００（ｂ）＆ＥＣＧＩ＝３００）の存在を認識している。このため、ｅＮＢ１００ｂは、ＥＣＧＩが異なる一方でＰＣＩが同一となっている複数のセル１５０が存在することを認識する。つまり、ｅＮＢ１００ｂは、ＰＣＩの衝突を検出する。しかしながら、第１の処理例では、ｅＮＢ１００ｂは、図５に示すように、この段階ではＰＣＩの変更処理を行わないことが好ましい。第１の処理例では、後述するように、ＰＣＩが衝突しているセル１５０（ＰＣＩ＝１００（ａ））を収容しているｅＮＢ１００ａ及びセル１５０（ＰＣＩ＝１００（ｂ））を収容しているｅＮＢ１００ｂの双方に隣接するｅＮＢ１００ｅの制御の下で、ＰＣＩが衝突しているセル１５０（ＰＣＩ＝１００（ａ））又はセル１５０（ＰＣＩ＝１００（ｂ））のＰＣＩの変更処理が行われる。
【００５３】
具体的には、図５に示すように、ｅＮＢ１００ｅが備える呼処理制御機能部１２４は、隣接する他のｅＮＢ１００から送信されるセル情報を参照することで、ＰＣＩの衝突が発生しているか否かを判定する。加えて、ｅＮＢ１００ｅが備える呼処理制御機能部１２４は、隣接する他のｅＮＢ１００から送信されるセル情報を参照することで、ＰＣＩが衝突している２つのセル１５０のうちＰＣＩを変更する一つのセル１５０を決定する。
【００５４】
図１０を参照して、ＰＣＩの衝突が発生しているか否かの判定処理及びＰＣＩを変更する一つのセル１５０の決定処理について説明する。図１０は、ＰＣＩの衝突が発生しているか否かの判定処理及びＰＣＩを変更する一つのセル１５０の決定処理の流れを示すフローチャートである。
【００５５】
図１０に示すように、ｅＮＢ１００ｅが備える呼処理制御機能部１２４は、隣接する他のｅＮＢ１００から送信されるセル情報を参照することで、ＰＣＩの衝突が発生しているか否かを判定する（ステップＳ１１）。言い換えれば、ｅＮＢ１００ｅが備える呼処理制御機能部１２４は、隣接する他のｅＮＢ１００から送信されるセル情報を参照することで、隣接する他のｅＮＢ１００との間でＰＣＩを識別する（区別する）ことが可能か否かを判定する（ステップＳ１１）。例えば、ｅＮＢ１００ｅは、ｅＮＢ１００ｅ自身のセル情報（図７参照）を有している。また、ｅＮＢ１００ｅは、ｅＮＢ１００ａ及び１００ｂとの間でＸ２インタフェースを確立する際に、ｅＮＢ１００ａ及び１００ｂのセル情報（図９参照）を取得する。従って、ｅＮＢ１００ｅの呼処理制御機能部１２４は、ｅＮＢ１００ｅ及び１００ｂの夫々のセル情報を参照することで、ｅＮＢ１００ｅには、セル１５０（ＰＣＩ＝１００（ａ）＆ＥＣＧＩ＝２００）及びセル（ＰＣＩ＝１００（ｂ）＆ＥＣＧＩ＝３００）の双方が隣接していることを認識する。このため、ｅＮＢ１００ｅが備える呼処理制御機能部１２４は、ＥＣＧＩが異なる一方でＰＣＩが同一となっている複数のセル１５０が存在することを認識することができる。つまり、ｅＮＢ１００ｅが備える呼処理制御機能部１２４は、ＰＣＩの衝突（ＰＣＩを識別する（区別する）ことができないという事実）を検出することができる。
【００５６】
ＰＣＩの衝突が発生していない（或いは、ＰＣＩを識別することができる）場合には（ステップＳ１２：Ｎｏ）、ｅＮＢ１００ｅは、ＰＣＩの変更処理を行わない。
【００５７】
他方で、ＰＣＩの衝突が発生している（或いは、ＰＣＩを識別することができない）場合には（ステップＳ１２：Ｙｅｓ）、ｅＮＢ１００ｅは、ＰＣＩの変更処理を行う。具体的には、ｅＮＢ１００ｅの呼処理制御機能部１２４は、ｅＮＢ１００ｅ及び１００ｂの夫々のセル情報を参照することで、ＰＣＩが衝突している２つのセル１５０の夫々について、隣接しているセル１５０又は隣接しているｅＮＢ１００の数を比較する（ステップＳ１３）。
【００５８】
尚、ＰＣＩの衝突を検出する処理（ステップＳ１２）が実施される契機としては、新たなｅＮＢ１００（或いは、新たなセル１５０）の追加に伴うセル情報の変更契機の他に、既存のｅＮＢ１００（或いは、既存のセル１５０）のＰＣＩの更新に伴うセル情報の変更契機を含んでもよい。また、ＰＣＩの衝突が検出されている場合には、当該検出の結果に応じて実施される後述のＰＣＩの衝突回避のためのＰＣＩの更新処理中に発生し得る、他のＰＣＩの衝突を検出する処理が実際される契機は保留されてもよいし保留されなくともよい。
【００５９】
比較の結果、２つのセル１５０の夫々について、隣接しているセル１５０又は隣接しているｅＮＢ１００の数に差分がある場合には（ステップＳ１４：Ｙｅｓ）、ｅＮＢ１００ｅの呼処理制御機能部１２４は、隣接しているセル１５０又は隣接しているｅＮＢ１００の数が少ない方のセル１５０を収容しているｅＮＢ１００に対して、ＰＣＩ変更指示要求を送信する（ステップＳ１５）。一方で、ｅＮＢ１００ｅの呼処理制御機能部１２４は、隣接しているセル１５０又は隣接しているｅＮＢ１００の数が多い方のセル１５０を収容しているｅＮＢ１００に対して、ＰＣＩ変更指示要求を送信しない。その結果、ＰＣＩ変更指示要求を受信したｅＮＢ１００は、自身が収容しているセル１５０のうちＰＣＩが衝突しているセル１５０のＰＣＩの変更値を決定すると共に、ＰＣＩを変更する。一方で、ＰＣＩ変更指示要求を受信していないｅＮＢ１００は、自身が収容しているセル１５０のＰＣＩを変更しないことが好ましい。より具体的には、例えば、図４に示す例では、セル１５０（ＰＣＩ＝１００（ａ））に隣接するセル１５０は４つであり且つセル（ＰＣＩ＝１００（ｂ））に隣接するセル１５０は５つである。従って、図４に示す例では、セル１５０（ＰＣＩ＝１００（ａ））を収容しているｅＮＢ１００ａに対してＰＣＩ変更指示要求（具体的には、図５に示すX2 eNB Configration Update Request (PCI=100(a))メッセージ）が送信される。その結果、ｅＮＢ１００ａが備えるＣＰＵ１２８の制御の下に、セル１５０（ＰＣＩ＝１００（ａ））のＰＣＩが変更される。一方で、図４に示す例では、セル１５０（ＰＣＩ＝１００（ｂ））を収容しているｅＮＢ１００ｂに対してＰＣＩ変更指示要求が送信されることはない。その結果、ｅＮＢ１００ｂは、セル１５０（ＰＣＩ＝１００（ｂ））のＰＣＩを変更しない。
【００６０】
他方で、２つのセル１５０の夫々について、隣接しているセル１５０又は隣接しているｅＮＢ１００の数に差分がない場合には（ステップＳ１４：Ｎｏ）、ｅＮＢ１００ｅの呼処理制御機能部１２４は、ＰＣＩが衝突している２つのセル１５０のうち所定の基準によって選択されるいずれか一方のセル１５０を収容するｅＮＢ１００に対して、ＰＣＩ変更指示要求を送信する（ステップＳ１６）。一方で、ｅＮＢ１００ｅの呼処理制御機能部１２４は、ＰＣＩが衝突している２つのセル１５０のうち所定の基準によって選択されないいずれか他方のセル１５０を収容するｅＮＢ１００に対して、ＰＣＩ変更指示要求を送信しない。
【００６１】
その後、自セルまたは隣接セルのＰＣＩを変更したｅＮＢ１００が備える呼処理制御機能部１２４は、ＰＣＩの変更を反映したセル情報を隣接する他のｅＮＢ１００に対して通知する（ステップＳ１７）。具体的には、ｅＮＢ１００ａがＰＣＩを変更した場合には、ｅＮＢ１００ａが備える呼処理制御機能部１２４は、ＰＣＩの変更を反映したセル情報を通知するために、隣接する他のｅＮＢ１００ｅに対してeNB Configration Update (notice PCI modification)メッセージを送信する。eNB Configration Update (notice PCI modification)メッセージを受信したｅＮＢ１００ｅは、eNB Configration Update acknowledgeメッセージを返送する。また、ｅＮＢ１００ｅが備える呼処理制御機能部１２４は、当該ｅＮＢ１００ｅに隣接するｅＮＢ１００ａにおけるＰＣＩの変更を反映したセル情報を通知するために、当該ｅＮＢ１００ｅに隣接する他のｅＮＢ１００ｂ及びｅＮＢ１００ｃの夫々に対して、eNB Configration Update (notice PCI modification)メッセージを送信する。eNB Configration Update (notice PCI modification)メッセージを受信したｅＮＢ１００ｂ及びｅＮＢ１００ｃの夫々は、eNB Configration Update acknowledgeメッセージを返送する。
【００６２】
以上説明したように、第１の処理例によれば、２つのｅＮＢ１００が収容している２つのセル１５０の間でＰＣＩが衝突している場合には、２つのｅＮＢ１００のうち隣接しているセル１５０の数が少ない方のセル１５０を収容する一方のｅＮＢ１００がＰＣＩを変更する。つまり、第１の処理例によれば、ＰＣＩの変更に係る処理負荷が小さいｅＮＢ１００のＰＣＩが変更される。このため、ＰＣＩが衝突している２つのｅＮＢ１００の双方がＰＣＩを変更しなくともよくなる。或いは、２つのｅＮＢ１００のうちＰＣＩの変更に係る処理負荷が大きいｅＮＢ１００のＰＣＩを変更しなくともよくなる。従って、ＰＣＩの衝突が発生した場合であっても、ｅＮＢ１００が使用する新しいＰＣＩを適切に決定することができる。
【００６３】
第１の処理例によれば、ＰＣＩが衝突している２つのセル１５０の双方に隣接するセル１５０を収容するｅＮＢ１００によって、ＰＣＩの変更処理が統括的に指示される。つまり、ＰＣＩが衝突している２つのｅＮＢ１００自身が、ＰＣＩの変更処理を行うか否かを決定しなくともよくなる。このため、ＰＣＩが衝突している２つのｅＮＢ１００の双方が個別に（言い換えれば、勝手に）ＰＣＩを変更する態様と比較して、ＰＣＩを適切に変更する（つまり、決定する）ことができる。
【００６４】
尚、図１０に示す第１の処理例に基づくＰＣＩの変更処理が常に行われていてもよい。或いは、図１０に示す第１の処理例に基づくＰＣＩの変更処理と既存のＰＣＩの変更処理とが適宜切り替えられながら行われてもよい。第１の処理例に基づくＰＣＩの変更処理と既存のＰＣＩの変更処理とが適宜切り替える場合には、第１の処理例に基づくＰＣＩの変更処理を行うか否かを決定するＳＯＮ実施可否フラグが、ｅＮＢ１００が備えるメモリ１２９内に格納されてもよい。例えば、ＳＯＮ実施可否フラグが「０（ＯＦＦ：不可）」を示している場合には既存のＰＣＩの変更処理が行われ、ＳＯＮ実施可否フラグが「１（ＯＮ：可）」を示している場合には第１の処理例に基づくＰＣＩの変更処理が行われてもよい。これにより、第１の処理例に基づくＰＣＩの変更処理を望まない事業者及び第１の処理例に基づくＰＣＩの変更処理を望む事業者の双方に対して、同一仕様のｅＮＢ１００を導入することができる。従って、ｅＮＢ１００の仕様変更に伴うコストの増大を抑制することができる。
【００６５】
（４）第２の処理例
図１１及び図１２を参照して、ｅＮＢ１００の第２の処理例について説明する。図１１は、ｅＮＢ１００が第２の処理例を行う場合のセル１５０の状態を示す模式図である。図１２は、ｅＮＢ１００の第２の処理例の流れを示すシーケンス図である。
【００６６】
図１１に示すように、第２の処理例は、例えば、ビル等の障害物（遮蔽物）によって既存の２つのｅＮＢ１００（或いは、既存の２つのセル１５０）が隣接関係になかったものの、障害物の除去によって既存の２つのｅＮＢ１００が新たに隣接することになる場合に行われる処理である。以下では、図１１に示すように、ビル等の障害物（遮蔽物）によって既存の２つのｅＮＢ１００ａ及び１００ｂ（或いは、既存の２つのセル１５０（ＰＣＩ＝５（ａ））及びセル（ＰＣＩ＝５（ｂ））が隣接関係になかったものの、障害物の除去によって既存の２つのｅＮＢ１００ａ及び１００ｂが新たに隣接することになる具体例を参照しながら、第２の処理例の説明を進める。尚、ｅＮＢ１００ａは、セル１５０（ＰＣＩ＝５（ａ））に加えて、セル１５０（ＰＣＩ＝６）及びセル１５０（ＰＣＩ＝７）を収容している。ｅＮＢ１００ｂは、セル１５０（ＰＣＩ＝５（ｂ））に加えて、セル１５０（ＰＣＩ＝９）及びセル１５０（ＰＣＩ＝１１）を収容している。
【００６７】
以下の説明では、図１１に示すｅＮＢ１００ａがＰＣＩの衝突を検出する場合の例について説明を進める。図１２に示すように、ｅＮＢ１００ａが備える呼処理制御機能部１２４は、ＰＣＩの衝突が発生しているか否かを判定する。加えて、ｅＮＢ１００ａが備える呼処理制御機能部１２４は、ＰＣＩの衝突が発生している場合には、ＰＣＩが衝突している対向側のｅＮＢ１００ｂのＥＣＧＩを取得する。
【００６８】
図１３を参照して、第２の処理例におけるＰＣＩの衝突が発生しているか否かの判定処理及びＥＣＧＩの取得処理について説明する。図１３は、第２の処理例における第２の処理例におけるＰＣＩの衝突が発生しているか否かの判定処理及びＥＣＧＩの取得処理の流れを示すフローチャートである。
【００６９】
図１３に示すように、第２の処理例では、ｅＮＢ１００ａが備える呼処理制御機能部１２４は、ＵＥ３００から送信され且つRRC Connection Reestablishment RejectとなるRRC Connection Reestablishmentメッセージの受信頻度が所定閾値以上であるか否かを判定する（ステップＳ２１）。ｅＮＢ１００ａが備える呼処理制御機能部１２４は、RRC Connection Reestablishmentメッセージの受信頻度の判定結果に基づいて、ＰＣＩの衝突が発生しているか否かを検出する（ステップＳ２１）。但し、ＰＣＩの衝突が発生している場合に起こり得るその他の事例ないしは変わり得る指標等を用いて、ＰＣＩの衝突が発生しているか否かを検出してもよい。
【００７０】
ＰＣＩの衝突が発生していない（言い換えれば、RRC Connection Reestablishmentメッセージの受信頻度が所定閾値以上でない）と判定された場合には（ステップＳ２１：Ｎｏ）、ｅＮＢ１００ａは、ＰＣＩの変更処理を行わない。
【００７１】
他方で、ＰＣＩの衝突が発生している（言い換えれば、RRC Connection Reestablishmentメッセージの受信頻度が所定閾値以上である）と判定された場合には（ステップＳ２１：Ｙｅｓ）、ｅＮＢ１００ａが備える呼処理制御機能部１２４は、第２の処理例に基づくＰＣＩの変更処理を行うか否かを決定するＳＯＮ実施可否フラグが「可」を示しているか否かを判定する（ステップＳ２２）。つまり、ｅＮＢ１００ａが備える呼処理制御機能部１２４は、第２の処理例に基づくＰＣＩの変更処理を行うか否かを判定する。
【００７２】
ＳＯＮ実施可否フラグが「可」を示していないと判定された場合には、（ステップＳ２２：Ｎｏ）、ｅＮＢ１００ａは、後述する第２の処理例に基づくＰＣＩの変更処理を行わない。
【００７３】
他方で、ＳＯＮ実施可否フラグが「可」を示していると判定された場合には（ステップＳ２２：Ｙｅｓ）、ｅＮＢ１００ａが備える呼処理制御機能部１２４は、RRC Connection Reestablishmentメッセージを送信しているＵＥ３００に対して、衝突しているＰＣＩ（＝５）に対応するＥＣＧＩの取得を要求するためのRRC Connection Reconfigurationメッセージを送信する（ステップＳ２３）。RRC Connection Reconfigurationメッセージを受信したＵＥ３００は、ＰＣＩ＝５となるセル１５０のＥＣＧＩを取得する。ＥＣＧＩを取得したＵＥ３００は、取得したＥＣＧＩを含むMeasurement ReportメッセージをｅＮＢ１００ａに対して送信する。
【００７４】
第２処理例では、ｅＮＢ１００ｂが収容しているセル１５０（ＰＣＩ＝５（ｂ））をｅＮＢ１００ａが認識することができるように、ｅＮＢ１００ａが収容しているセル１５０（ＰＣＩ＝５（ａ））のＥＣＧＩではなく、衝突している相手側のｅＮＢ１００ｂが収容しているセル１５０（ＰＣＩ＝５（ｂ））のＥＣＧＩをＵＥ３００に取得させることが好ましい。従って、ｅＮＢ１００ａが備える呼処理制御機能部１２４は、自身の報知情報を送信するために使用している送信電力を所定値Δｐだけ下げる（ステップＳ２４）。その結果、ＵＥ３００は、ｅＮＢ１００ａから送信される報知情報よりもｅＮＢ１００ｂから送信される報知情報の方がより取得しやすくなる。
【００７５】
その後、ｅＮＢ１００ａが備える呼処理制御機能部１２４は、所定の時間内に新しいＥＣＧＩを含むMeasurement ReportメッセージがＵＥ３００から送信されているか否かを判定する（ステップＳ２５）。つまり、ｅＮＢ１００ａが備える呼処理制御機能部１２４は、ｅＮＢ１００ｂが収容しており且つＰＣＩが衝突しているセル１５０（ＰＣＩ＝５（ｂ））のＥＣＧＩを含むMeasurement ReportメッセージがＵＥ３００から送信されているか否かを判定する（ステップＳ２５）。
【００７６】
所定の時間内に新しいＥＣＧＩを含むMeasurement ReportメッセージがＵＥ３００から送信されていると判定された場合には（ステップＳ２５：Ｙｅｓ）、ｅＮＢ１００ａが備える呼処理制御機能部１２４は、報知情報を送信するために使用している送信電力を元の値に戻す（ステップＳ２８）。
【００７７】
他方で、所定の時間内に新しいＥＣＧＩを含むMeasurement ReportメッセージがＵＥ３００から送信されていないと判定された場合には（ステップＳ２５：Ｎｏ）、ｅＮＢ１００ａが備える呼処理制御機能部１２４は、報知電力を送信するために使用している送信電力を所定値Δｐだけ下げる処理を繰り返す。送信電力を下げる処理は、新しいＥＣＧＩを含むMeasurement ReportメッセージがＵＥ３００から送信されることになるまで、タイムアウト又はリトライアウト（ステップＳ２７）となるまで繰り返される。
【００７８】
再び図１２において、ｅＮＢ１００ｂが収容しているセル１５０（ＰＣＩ＝５（ｂ））のＥＣＧＩを取得したｅＮＢ１００ａが備える呼処理制御機能部１２４は、取得したＥＣＧＩを用いて、ｅＮＢ１００ｂのＩＰアドレスを取得する。ＩＰアドレスの取得動作は、図６及び図８に示したＡＮＲ処理と同様のメッセージの送受信によって行われる。つまり、ＩＰアドレスの取得動作は、ｅＮＢ１００ａからＭＭＥ５００へのeNB Configuration Transfer (report IP address of eNB100b)メッセージの送信、ＭＭＥ５００からｅＮＢ１００ｂへのMME Configuration Transferメッセージの送信、ｅＮＢ１００ｂからＭＭＥ５００へのeNB Configuration Transferメッセージの送信、及びＭＭＥ５００からｅＮＢ１００ａへのMME Configuration Transfer (report IP address of eNB100b)メッセージの送信によって行われる。
【００７９】
その後、図６及び図８に示したＡＮＲ処理と同様のメッセージ（つまり、X2 Setup Requestメッセージ及びX2 Setup Responseメッセージ）の送受信によって、ＰＣＩが衝突している２つのｅＮＢ１００ａ及び１００ｂの間のＸ２インタフェースが確立される。
【００８０】
その後、ＰＣＩが衝突している２つのｅＮＢ１００ａ及び１００ｂのうちのいずれか一方が、収容しているセル１５０のＰＣＩを変更する。例えば、第１の処理例と同様に、ｅＮＢ１００ａの呼処理制御機能部１２４は、ＰＣＩが衝突している２つのセル１５０のうち隣接しているセル１５０又は隣接しているｅＮＢ１００の数が少ない方のセル１５０を収容しているｅＮＢ１００に対して、ＰＣＩ変更指示要求を送信してもよい。或いは、ｅＮＢ１００ａの呼処理制御機能部１２４は、ＰＣＩが衝突している２つのセル１５０のうち所定の基準によって選択されるいずれか一方のセル１５０を収容するｅＮＢ１００に対して、ＰＣＩ変更指示要求を送信してもよい。より具体的には、例えば、図１１に示す例では、セル１５０（ＰＣＩ＝５（ａ））に隣接するセル１５０は４つであり且つセル（ＰＣＩ＝５（ｂ））に隣接するセル１５０は４つである。従って、図１１に示す例では、セル１５０（ＰＣＩ＝５（ａ））を収容しているｅＮＢ１００ａがセル１５０（ＰＣＩ＝５（ａ））のＰＣＩを変更してもよい。この場合、ＰＣＩが衝突している他のセル１５０（ＰＣＩ＝５（ｂ））を収容するｅＮＢ１００ｂは、当該他のセル１５０（ＰＣＩ＝５（ｂ））のＰＣＩを変更しないことが好ましい。或いは、図１１に示す例では、セル１５０（ＰＣＩ＝５（ｂ））を収容しているｅＮＢ１００ｂがセル１５０（ＰＣＩ＝５（ａ））のＰＣＩを変更してもよい。この場合、ＰＣＩが衝突している他のセル１５０（ＰＣＩ＝５（ａ））を収容するｅＮＢ１００ｂは、ｅＮＢ１００ｂに対してＰＣＩ変更指示要求を送信すると共にセル１５０（ＰＣＩ＝５（ａ））のＰＣＩを変更しないことが好ましい。
【００８１】
以上説明したように、第２の処理例によれば、第１の処理例と同様に、２つのｅＮＢ１００が収容している２つのセル１５０の間でＰＣＩが衝突している場合には、２つのｅＮＢ１００のうち隣接しているセル１５０の数が少ない方のセル１５０を収容するｅＮＢ１００がＰＣＩを変更する。このため、ＰＣＩが衝突している２つのｅＮＢ１００の双方がＰＣＩを変更しなくともよくなる。或いは、２つのｅＮＢ１００のうちＰＣＩの変更に係る処理負荷が大きいｅＮＢ１００のＰＣＩを変更しなくともよくなる。従って、ＰＣＩの衝突が発生した場合であっても、ｅＮＢ１００が使用する新しいＰＣＩを適切に決定することができる。
【００８２】
第２の処理例によれば、ＰＣＩが衝突している２つのセル１５０のうちのいずれか一方を収容するｅＮＢ１００によって、ＰＣＩの変更処理が統括的に指示される。つまり、ＰＣＩが衝突している２つのｅＮＢ１００自身が、ＰＣＩの変更処理を行うか否かを決定しなくともよくなる。このため、ＰＣＩが衝突している２つのｅＮＢ１００の双方が個別に（言い換えれば、勝手に）ＰＣＩを変更する態様と比較して、ＰＣＩを適切に変更する（つまり、決定する）ことができる。
【００８３】
第２の処理例によれば、ＰＣＩが衝突している２つのセル１５０のうちのいずれか一方を収容するｅＮＢ１００は、ＰＣＩが衝突している２つのセル１５０のうちのいずれか他方のＥＣＧＩを取得するために、自身の報知情報の送信電力を下げている。その結果、ＵＥ３００は、ＰＣＩが衝突している２つのセル１５０のうちのいずれか一方を収容するｅＮＢ１００からの報知情報よりも、ＰＣＩが衝突している２つのセル１５０のうちのいずれか他方を収容するｅＮＢ１００からの報知情報を受信しやすくなる。従って、ＰＣＩが衝突している２つのセル１５０のうちのいずれか一方を収容するｅＮＢ１００は、ＰＣＩが衝突している２つのセル１５０のうちのいずれか他方のＥＣＧＩを好適に取得することができる。その結果、ＰＣＩが衝突している２つのセル１５０のうちのいずれか一方を収容するｅＮＢ１００は、ＰＣＩが衝突している２つのセル１５０のうちのいずれか他方を収容するｅＮＢ１００との間でＸ２インタフェースを好適に確立できると共に、その後のＰＣＩの変更処理を適切に行うことができる。
【００８４】
尚、以上の第１及び第２処理例の説明では、２つのｅＮＢ１００が収容している２つのセル１５０の間でＰＣＩが衝突している場合には、２つのｅＮＢ１００のうち隣接しているセル１５０の数が少ない方のセル１５０を収容する一方のｅＮＢ１００がＰＣＩを変更する例について説明している。しかしながら、２つ以上のｅＮＢ１００が収容している２つ以上のセル１５０の間でＰＣＩが衝突している場合にも、上述したＰＣＩの変更動作が行われてもよい。例えば、２つ以上のｅＮＢ１００のうち隣接しているセル１５０の数が相対的に又は最も少ないセル１５０を収容するｅＮＢ１００がＰＣＩを変更してもよい。言い換えれば、２つ以上のｅＮＢ１００のうち隣接しているセル１５０の数が相対的に又は最も多いセル１５０を収容するｅＮＢ１００がＰＣＩを変更しなくともよい。この場合であっても、ｅＮＢ１００が使用する新しいＰＣＩを適切に決定することができる。
【００８５】
以上説明した実施形態に関して、更に以下の付記を開示する。
【００８６】
（付記１）
複数の無線基地局の間で、収容するセルに割り当てられるセル識別子を識別することができるか否かを判定する判定工程と、
前記セル識別子を識別することができないと判定される場合に、前記複数の無線基地局のうち前記セル識別子の変更に係る処理負荷が相対的に小さい無線基地局の前記セル識別子を変更する変更工程と
を備えることを特徴とするセル識別子の決定方法。
【００８７】
（付記２）
前記判定工程は、前記複数の基地局の間で前記セル識別子が衝突しているか否かを判定することで、前記セル識別子を識別することができるか否かを判定し、
前記変更工程は、前記複数の基地局の間で前記セル識別子が衝突していると判定される場合に、前記複数の無線基地局のうち前記セル識別子の変更に係る処理負荷が相対的に小さい無線基地局の前記セル識別子を変更することを特徴とする付記１に記載のセル識別子の決定方法。
【００８８】
（付記３）
前記判定工程及び前記変更工程は、前記複数の無線基地局が収容するセルの夫々に隣接するセルを収容している他の無線基地局によって行われることを特徴とする付記１又は２に記載のセル識別子の決定方法。
【００８９】
（付記４）
前記判定工程は、前記複数の無線基地局から前記他の無線基地局に対して送信される隣接情報であって且つ前記複数の無線基地局の夫々が収容するセルに隣接しているセルを示す隣接情報に基づいて、前記複数の無線基地局の間で前記セル識別子を識別することができるか否かを判定することを特徴とする付記３に記載のセル識別子の決定方法。
【００９０】
（付記５）
前記判定工程及び前記変更工程は、前記複数の無線基地局のうちの一の無線基地局によって行われることを特徴とする付記１又は２に記載のセル識別子の決定方法。
【００９１】
（付記６）
前記判定工程は、移動端末から前記一の無線基地局への、再接続前後のセル識別子が同じである再接続要求が所定回数以上行われているか否かを判定することで、前記複数の無線基地局の間で前記セル識別子を識別することができるか否かを判定することを特徴とする付記５に記載のセル識別子の決定方法。
【００９２】
（付記７）
前記セル識別子を識別することができないと判定される場合には、前記セル識別子を識別することができると判定される場合と比較して、前記一の無線基地局からの報知情報の送信に使用している送信電力を低下させる低下工程と、
前記複数の無線基地局のうちの他の無線基地局からの報知情報を前記移動端末が受信する受信工程と、
前記一の無線基地局に対して、前記移動端末が受信した前記報知情報を送信する送信工程と、
前記移動端末から送信される報知情報に基づいて、前記判定工程において前記セル識別子を識別することができないと判定される前記複数の無線基地局を特定する特定工程と、
特定された前記複数の無線基地局の間の通信コネクションを確立する確立工程と
を備え、
前記変更工程は、確立された前記通信コネクションを介して、(i)前記一の無線基地局が前記セル識別子を変更する場合には、前記他の無線基地局に対して、前記セル識別子を変更しないことを指示する指示信号を送信すると共に、変更後の前記セル識別子を送信し、(ii)前記一の無線基地局が前記セル識別子を変更しない場合には、前記他の無線基地局に対して前記セル識別子を変更することを指示する指示信号を送信することを特徴とする付記５又は６に記載のセル識別子の決定方法。
【００９３】
（付記８）
前記変更工程は、前記複数の無線基地局のうち隣接しているセルの数又は隣接している無線基地局の数が相対的に少ない無線基地局の前記セル識別子を変更することを特徴とする付記１から７のいずれか一項に記載のセル識別子の決定方法。
【００９４】
（付記９）
複数の無線基地局の間で、収容するセルに割り当てられるセル識別子を識別することができるか否かを判定する判定手段と、
前記セル識別子を識別することができないと判定される場合に、前記複数の無線基地局のうち前記セル識別子の変更に係る処理負荷が相対的に小さい無線基地局の前記セル識別子を変更する変更手段と
を備えることを特徴とする無線基地局。
【００９５】
（付記１０）
複数の無線基地局を備える無線通信システムであって、
前記複数の無線基地局の間で、収容するセルに割り当てられるセル識別子を識別することができるか否かを判定する判定手段と、
前記セル識別子を識別することができないと判定される場合に、前記複数の無線基地局のうち前記セル識別子の変更に係る処理負荷が相対的に小さい無線基地局の前記セル識別子を変更する変更手段と
を備えることを特徴とする無線通信システム。
【００９６】
本発明は、上述した実施形態に限られるものではなく、請求の範囲及び明細書全体から読み取れる発明の要旨或いは思想に反しない範囲で適宜変更可能であり、そのような変更を伴うセル識別子の決定方法、無線基地局及び無線通信システムもまた本発明の技術的範囲に含まれるものである。
【符号の説明】
【００９７】
１  無線通信システム
１００  ｅＮＢ
１１０  ＲＲＨ
１２０  ＢＢＵ
１２４  呼処理制御機能部
１５０  セル
３００  ＵＥ
５００  ＭＭＥ
【図１】
0005516164.tif 000002
【図２】
0005516164.tif 000003
【図３】
0005516164.tif 000004
【図４】
0005516164.tif 000005
【図５】
0005516164.tif 000006
【図６】
0005516164.tif 000007
【図７】
0005516164.tif 000008
【図８】
0005516164.tif 000009
【図９】
0005516164.tif 000010
【図１０】
0005516164.tif 000011
【図１１】
0005516164.tif 000012
【図１２】
0005516164.tif 000013
【図１３】
0005516164.tif 000014